(57)【要約】【課題】高い記録密度で記録された記録媒体において、光学的空間周波数特性や符号間干渉の影響を受けた再生信号を正しく二値化することができ、かつ、ＰＲＭＬ方式の構成を変えることなく実現することを目的とする。【解決手段】本発明における信号処理装置は、記録媒体１の再生信号から最短記録情報が連続した区間を検出する連続最短記録情報検出手段４と、最短記録情報が連続している区間の再生信号の振幅を調整する振幅調整手段５と、振幅調整手段５からの再生信号をパーシャルレスポンス等化する波形等化手段８と、波形等化手段８からの等化信号をビタビ復号処理する復号手段９とを備え、波形等化手段８はデジタルフィルタで構成されており、デジタルフィルタのタップ数が、最短記録情報が連続していると検出した区間のうち最も短い区間をデジタルフィルタを動作させるクロックでサンプリングしたときのサンプリング数以下である。【選択図】図１
2011210366.tif 000002
【特許請求の範囲】
【請求項１】
記録媒体に記録された情報を再生する信号処理装置であって、
前記記録媒体から再生した再生信号から最短記録情報が連続した区間を検出する連続最短記録情報検出手段と、
前記最短記録情報が連続していると検出した区間の再生信号の振幅を調整する振幅調整手段と、
前記振幅調整手段から出力された再生信号に対してパーシャルレスポンス等化を行う波形等化手段と、
前記波形等化手段から出力された等化信号に対してビタビ復号処理を行う復号手段とを備え、
前記波形等化手段はデジタルフィルタで構成されており、前記デジタルフィルタのタップ数が、前記最短記録情報が連続していると検出した区間のうち最も短い区間を、前記デジタルフィルタを動作させるクロックでサンプリングしたときのサンプリング数以下であることを特徴とする信号処理装置。
【請求項２】
記録媒体に記録された情報を再生する信号処理方法であって、
前記記録媒体から再生した再生信号から最短記録情報が連続した区間を検出する連続最短記録情報検出工程と、
前記最短記録情報が連続していると検出した区間の再生信号の振幅を調整する振幅調整工程と、
前記振幅調整された再生信号に対してパーシャルレスポンス等化を行う波形等化工程と、
前記等化された等化信号に対してビタビ復号処理を行う復号工程とを備え、
前記波形等化工程ではデジタルフィルタによる波形等化を行い、前記デジタルフィルタのタップ数が、前記最短記録情報が連続していると検出した区間のうち最も短い区間を、前記デジタルフィルタを動作させるクロックでサンプリングしたときのサンプリング数以下であることを特徴とする信号処理方法。
【発明の詳細な説明】
【技術分野】
【０００１】
本発明は、記録媒体に記録された情報を再生する信号処理装置及び信号処理方法に関するものであり、特にＰＲＭＬ（Ｐａｒｔｉａｌ  Ｒｅｓｐｏｎｓｅ  Ｍａｘｉｍｕｍ  Ｌｉｋｅｌｉｈｏｏｄ）方式を利用した信号処理装置及び信号処理方法に関するものである。
【背景技術】
【０００２】
近年、デジタル放送が徐々に広まり、デジタル放送の大容量高精細な映像をそのままの画質で記録したいという需要が高まっている。それに伴い、光ディスクなどの記録媒体の容量も大きくする必要があり、そのためには記録密度を高くすることが必要となっている。しかし、高い記録密度で記録を行った光ディスクを再生する場合、いくつかの要因により再生信号品質の劣化を招いてしまう。例えば、記録密度が向上したことにより、相変化ディスクでは、隣接ピットからの熱干渉などの影響を受けて再生信号が非対称となるアシンメトリが大きくなるという問題があった。
【０００３】
そこで、このアシンメトリのような非線形歪みを持つ信号に対する信号処理技術が下記特許文献１に開示されている。この信号処理装置は、非線形な歪みをもつ再生信号を帯域制限するとともに、アナログ等化を行うアナログフィルタと、アナログフィルタの出力信号に対して線形成分の信号を等化するための第１の適応フィルタと、第１の適応フィルタに並列に接続され、アナログフィルタ出力の非線形歪みを補正する第２の適応フィルタとを備えたものである。この構成により、下記特許文献１に記載されている信号処理装置は、再生信号に含まれる非線形歪みを補正することができる。
【先行技術文献】
【特許文献】
【０００４】
【特許文献１】特開２００４−３４８９２９号公報
【発明の概要】
【発明が解決しようとする課題】
【０００５】
しかしながら、高い記録密度で記録を行った光ディスクを再生する場合、再生信号品質の劣化を招く要因はアシンメトリだけではない。例えば、光ディスクから信号を読み取る光ヘッドの光学的空間周波数特性により、再生信号の広域成分が著しく劣化してしまう。また、記録密度が高くなるにつれ、隣接する記録ピットからの符号間干渉の影響が大きくなり、波形の歪みが顕著になる。このような符号間干渉による波形の歪みはランレングスの短い記録ピットで大きくなり、特に、ランレングスの短い記録ピットが連続して記録されている部分に大きな影響が出てしまう。
【０００６】
このように光ディスクの記録密度が高くなると、アシンメトリの補正を行っただけでは、最短記録ピットが連続して記録されている部分の再生信号を正しく二値化することが難しくなり、エラーレートが増加してしまうという課題があった。
【０００７】
そこで本発明はかかる問題を解決するためになされたものであり、高い記録密度で記録された光ディスクなどの記録媒体において、光学的空間周波数特性や符号間干渉の影響を受けた再生信号を正しく二値化することができ、かつ、従来のＰＲＭＬ方式の構成を変えることなく実現することができる信号処理装置及び信号処理方法を得ることを目的とする。
【課題を解決するための手段】
【０００８】
本発明における信号処理装置は、記録媒体に記録された情報を再生する信号処理装置であって、前記記録媒体から再生した再生信号から最短記録情報が連続した区間を検出する連続最短記録情報検出手段と、前記最短記録情報が連続していると検出した区間の再生信号の振幅を調整する振幅調整手段と、前記振幅調整手段から出力された再生信号に対してパーシャルレスポンス等化を行う波形等化手段と、前記波形等化手段から出力された等化信号に対してビタビ復号処理を行う復号手段とを備え、前記波形等化手段はデジタルフィルタで構成されており、前記デジタルフィルタのタップ数が、前記最短記録情報が連続していると検出した区間のうち最も短い区間を、前記デジタルフィルタを動作させるクロックでサンプリングしたときのサンプリング数以下であることを特徴とする。
【０００９】
本発明における信号処理方法は、記録媒体に記録された情報を再生する信号処理方法であって、前記記録媒体から再生した再生信号から最短記録情報が連続した区間を検出する連続最短記録情報検出工程と、前記最短記録情報が連続していると検出した区間の再生信号の振幅を調整する振幅調整工程と、前記振幅調整された再生信号に対してパーシャルレスポンス等化を行う波形等化工程と、前記等化された等化信号に対してビタビ復号処理を行う復号工程とを備え、前記波形等化工程ではデジタルフィルタによる波形等化を行い、前記デジタルフィルタのタップ数が、前記最短記録情報が連続していると検出した区間のうち最も短い区間を、前記デジタルフィルタを動作させるクロックでサンプリングしたときのサンプリング数以下であることを特徴とする。
【発明の効果】
【００１０】
本発明の信号処理装置によれば、連続最短記録情報検出手段及び振幅調整手段を備え、記憶媒体から再生された再生信号から連続した最短記録情報を検出し、検出した連続最短記録情報の振幅を例えばゼロレベルに振幅調整してＰＲＭＬを行うことで、光学的空間周波数特性や符号間干渉の影響を受けた再生信号を正しく二値化することができる。また、従来の復号手段の性質を利用して再生信号を正しく二値化することができるため、従来のＰＲＭＬの構成を変えることなく、容易に実現することが可能となる。
【００１１】
本発明の信号処理方法によれば、記憶媒体から再生された再生信号から連続した最短記録情報を検出し、検出した連続最短記録情報の振幅を例えばゼロレベルに振幅調整してＰＲＭＬを行うことで、光学的空間周波数特性や符号間干渉の影響を受けた再生信号を正しく二値化することができる。また、従来のビタビ復号処理の性質を利用して再生信号を正しく二値化することができるため、従来のＰＲＭＬの構成を変えることなく、容易に実現することが可能となる。
【図面の簡単な説明】
【００１２】
【図１】本発明の実施の形態における信号処理装置の構成を示した図である。
【図２】信号処理装置の信号処理過程を示した再生信号の波形図である。
【図３】従来技術における信号処理装置の構成を示した図である。
【図４】従来技術における信号処理装置がリファレンス等化を行った後の再生信号を示した波形図である。
【図５】本発明の実施の形態における信号処理装置がリファレンス等化を行った後の再生信号を示した波形図である。
【図６】ビタビ復号器がＰＲレベル判定を行う際の状態遷移を示した図である。
【発明を実施するための形態】
【００１３】
＜実施の形態１＞
図１は、本実施の形態における光ディスク等の記録媒体を再生する信号処理装置１０の構成を示した図である。信号処理装置１０は、Ａ／Ｄコンバータ２、ＡＧＣ３（Ａｕｔｏ  ｇａｉｎ  ｃｏｎｔｒｏｌ）、連続最短記録情報検出手段４、振幅調整手段５、プリイコライザ６、リミットイコライザ７、波形等化手段（以下、適応イコライザ８と記載）、復号手段（以下、ビタビ復号器９と記載）を備えている。
【００１４】
図３は、従来における光ディスク等の記録媒体を再生する信号処理装置２０の構成を示した図である。信号処理装置２０は、Ａ／Ｄコンバータ２、ＡＧＣ３、プリイコライザ６、リミットイコライザ７、適応イコライザ８、ビタビ復号器９を備えている。
【００１５】
図１，３より、本実施の形態における信号処理装置１０の構成は、従来における信号処理装置２０の構成に、連続最短記録情報検出手段４、振幅調整手段５をさらに備えた構成である。
【００１６】
次に図１を参照して、信号処理装置１０の構成について説明する。また、本実施の形態では、高密度に記録された光ディスクの場合について説明し、この光ディスクは１７ＰＰの変調方式に従い、最短記録ピットのランレングスが２Ｔであるとする。
【００１７】
光ディスク１から読み出された再生アナログ信号は、アナログ信号処理が行われた後Ａ／Ｄコンバータ２へ出力される。Ａ／Ｄコンバータ２は、所定のサンプリング周波数にて再生アナログ信号をサンプリングし、デジタル信号に変換する。このＡ／Ｄコンバータ２でサンプリングされた再生信号はＡＧＣ３へ出力される。
【００１８】
ＡＧＣ３は、入力された再生信号の振幅のピーク値を求め、理想検出値との誤差を計算する。求めた理想検出値との誤差がなくなるように自動で再生信号の振幅値の調整を行う。ＡＧＣ３で振幅調整が行われた再生信号は連続最短記録情報検出手段４へ出力される。
【００１９】
連続最短記録情報検出手段４は、最短記録情報部分である２Ｔが連続した区間を再生した場合に得られる振幅レベル付近にスレッショルドが設けられている。連続最短記録情報検出手段４は、入力された再生信号がスレッショルドの範囲内に所定の期間収まった場合、スレッショルドの範囲内に収まった区間を連続２Ｔ部分として検出し、その区間の検出信号をアサートする。この連続２Ｔ部分として検出された区間を表す検出信号及び再生信号は振幅調整手段５へ出力される。
【００２０】
振幅調整手段５は、検出信号がアサートされた区間、すなわち２Ｔ部分が連続した区間の再生信号の振幅を例えばゼロレベルに調整する。連続２Ｔ区間がゼロレベルに調整された再生信号はプリイコライザ６へ出力される。
【００２１】
プリイコライザ６は、４タップのデジタルフィルタで構成され、高域を強調する周波数特性を持つ。また、タップ係数はそれぞれ固定としている。プリイコライザ６で高域強調された再生信号はリミットイコライザ７へ出力される。
【００２２】
リミットイコライザ７は、２Ｔの振幅レベル付近にリミッタがついており、２Ｔの振幅レベル付近よりも大きい振幅の信号はリミッタがかかるように構成されている。リミッタがかかった信号は振幅が制限されるために増幅されず、リミッタのかからない２Ｔ信号のみを効率よく増幅することができる。リミットイコライザ７の出力信号はパーシャルレスポンス等化を行う適応イコライザ８へ出力される。
【００２３】
適応イコライザ８はパーシャルレスポンス等化器として入力信号の特性に追従してタップ係数を最適な値に更新する。適応アルゴリズムとしてはＬＭＳ（Ｌｅａｓｔ  Ｍｅａｎ  Ｓｑｕａｒｅ）アルゴリズムを用いている。タップ係数の更新は、後述するビタビ復号器９の復号結果をフィードバックして、予め決められたパーシャルレスポンスパターンに入力信号を等化する。本実施の形態ではパーシャルレスポンスパターンとしてＰＲ（１，２，２，１）を用いるものとする。
【００２４】
パーシャルレスポンス等化された再生信号はビタビ復号器９に入力され二値化される。また、ビタビ復号器９の復号結果はＬＭＳアルゴリズムの誤差信号を求めるために適応イコライザ８にフィードバックされる。
【００２５】
次に、図２は記録容量が２７ＧＢを超えるような高密度化された光ディスク１を再生したときに得られる再生波形を示した図である。以下に図２に基づいて本実施の形態における信号処理装置１０の動作について説明する。
【００２６】
Ａ／Ｄコンバータ２は、光ディスク１から再生されたアナログ再生信号を、チャネルクロックとしたサンプリング周波数でサンプリングし、デジタル信号に変換する。変換されたデジタル信号はＡＧＣ３に出力される。
【００２７】
ＡＧＣ３は、ある一定期間（本実施の形態では２０００サンプルとした）入力される再生信号の振幅のピーク値ＡPを保持し、理想振幅値ＡIとの誤差係数をＡI／ＡPとすることで求める。この誤差係数を入力される再生信号に乗じることで再生信号の振幅を調整する。
【００２８】
ここで、図２（ａ）のように２Ｔが３回連続した連続２Ｔ信号を再生した場合の理想的な再生信号の波形は図２（ｂ）のようになる。しかし、実際の再生波形では、光学的空間周波数特性や符号間干渉の影響により連続２Ｔ信号の波形は図２（ｃ）のように真ん中の２Ｔ波形が潰れてしまい、振幅のへこみがなくなってしまう。
【００２９】
連続最短記録情報検出手段４は、図２（ｅ）のようにあらかじめ連続２Ｔ信号の振幅ピーク値付近にスレッショルドＴｈを設けておく。再生信号の振幅レベルがサンプリングクロックで例えば４サンプリング以上スレッショルドの範囲内に収まった場合に、そのスレッショルドの範囲内に収まった区間を２Ｔが連続している連続最短記録情報区間とする。図２（ｅ）に示すように、連続最短記録情報検出手段４は、連続最短記録情報区間が検出されると、その区間に対して連続最短記録情報検出信号を１にアサートし、再生信号とともに振幅調整手段５へ出力する。また、連続最短記録情報区間ではない区間に対しては連続最短記録情報検出信号を０にネゲートする。ここで、スレッショルドは任意の固定値としてもいいし、入力信号に応じて可変する値としてもよい。
【００３０】
振幅調整手段５は、図２（ｆ）に示すように連続最短記録情報検出手段４より入力された連続最短記録情報検出信号が１にアサートされている区間の再生信号の振幅レベルをゼロレベルにする。また、連続最短記録情報検出信号が０にネゲートされている区間は再生信号に対して何も処理を行わずにスルーしてプリイコライザ６へ再生信号を出力する。
【００３１】
プリイコライザ６は、４タップのＦＩＲフィルタで構成されており、２Ｔや３Ｔの高域成分を増幅する周波数特性となっている。振幅調整手段５で連続最短記録情報区間の振幅レベルがゼロレベルに調整された再生信号がプリイコライザ６に入力されると、振幅レベルがゼロレベルに調整された区間は、サンプリング値がゼロとなるためにプリイコライザ６で増幅されずに、増幅レベルがゼロレベルを保ったままリミットイコライザ７へ出力される。
【００３２】
次にリミットイコライザ７は、リミッタと増幅用のＦＩＲフィルタで構成されており、再生信号の一部がリミッタで振幅制限される。リミッタは２Ｔの振幅レベルピーク付近に設定されており、２Ｔ信号にはリミッタが働かずに振幅が増幅される。一方、２Ｔ以外の信号にはリミッタが働き、振幅制限がかかるためゲインは小さくなる。なお、プリイコライザ６の出力信号で振幅がゼロレベルに調整されている区間はリミットイコライザ７のＦＩＲフィルタでも出力がゼロレベルとなる。よって、図２（ｇ）に示すように、ここでも増幅レベルをゼロレベルに保ったまま出力される。また、連続していない単発の２Ｔ信号については、プリイコライザ６とリミットイコライザ７により振幅レベルが増幅される。
【００３３】
適応イコライザ８は、リミットイコライザ７により振幅が増幅された再生信号をパーシャルレスポンスパターンに等化する。適応イコライザ８の係数更新にはＬＭＳアルゴリズムを用いている。ＬＭＳアルゴリズムによる更新式は数１で表される。
【００３４】
【数１】
2011210366.tif 000003
【００３５】
ここで、数１のｅ（ｋ）は誤差信号であり、時刻ｋにおけるフィルタ出力の目標信号をｄ（ｋ）とすると、目標信号ｄ（ｋ）とフィルタ出力ｙ（ｋ）の間で求められる誤差信号ｅ（ｋ）は数２で表される。
【００３６】
【数２】
2011210366.tif 000004
【００３７】
また、目標信号ｄ（ｋ）はビタビ復号器９で二値化された出力信号をパーシャルレスポンスの目標等化パターンにデコードすることで得られる。ここではＰＲ（１，２，２，１）を用いているため、ビタビ復号器９の出力信号を４タップのタップ係数が（１，２，２，１）であるＦＩＲフィルタと畳み込むことで目標信号ｄ（ｋ）が得られることになる。
【００３８】
また、数１のμは適応フィルタ８のステップサイズパラメータである。ステップサイズパラメータには適応フィルタ８の収束をコントロールするための任意の値が設定される。ここではパーシャルレスポンス等化パターンとしてＰＲ（１，２，２，１）を用いたが、実際に用いるパーシャルレスポンスパターンはこれに限るものではない。
【００３９】
適応イコライザ８は４タップで構成されており、この適応イコライザ８においても連続最短記録情報検出手段４と振幅調整手段５によりゼロレベルに振幅調整された再生信号箇所は増幅されずにゼロレベルを保ったまま出力され、それ以外の箇所はＰＲ（１，２，２，１）特性に等化された状態でビタビ復号器９に出力されることになる。
【００４０】
ビタビ復号器９は、適応イコライザ８から入力されたＰＲ等化信号のＰＲレベルと自らが保持しているリファレンスレベルとの二乗誤差を求め、二乗誤差の総和が小さいパスをパスメトリックとして選択し、パスメモリを更新する。また、パスメトリックの選択には、変調方式による制限を反映した状態遷移も用いる。このパスメモリの結果によって時系列での二値化を行う。
【００４１】
このようにビタビ復号器９には、１７ＰＰ変調、及びＰＲ（１，２，２，１）特性に合ったリファレンスレベルが設定されている。ＰＲ（１，２，２，１）の場合、ＰＲ（１，２，２，１）等化された再生信号は７レベルのＰＲレベルしか取らないため、それに対応した７つのリファレンスレベルが設定されている。それぞれのリファレンスレベルを値の低い方からレベル０，１，２，３，４，５，６とし、レベル３がゼロレベルを表していることになる。また、ビタビ復号器９ではパスメトリックの選択を行う際に、１７ＰＰ変調とＰＲ（１，２，２，１）特性から制限が生じるため、図６に示すような状態遷移を考えることでＰＲレベルの判定の制限を行い、計算量及びビットエラーの減少を行っている。
【００４２】
図６のＳ０００〜Ｓ１１１は現在のビタビ復号器９内の下位３ビットの状態を表す。これらの状態と各状態から出ている矢印との関係について説明する。例えば、現在Ｓ１１０の状態にある場合、次にビット０となるＰＲ等化信号が入力されるとＰＲレベル判定はレベル３であり、Ｓ１００状態に遷移する。一方、Ｓ１１０から１となるＰＲ等化信号が入力される場合については、それに相当する矢印がＳ１１０から出ていないため、状態遷移が禁止されていることを表している。つまり、Ｓ１１０からはＳ１００となり、ＰＲレベル判定はレベル３にしか判定することができない。また、２Ｔが連続した再生信号が入力された場合は、図６の状態遷移図からＳ１１０→Ｓ１００→Ｓ００１→Ｓ０１１→Ｓ１１０→・・・の繰り返しとなるため、対応するＰＲレベル判定はレベル３→２→３→４→３→・・・となる。
【００４３】
図５は、連続最短記録情報検出手段４と振幅調整手段５にて連続最短記録情報の再生信号の振幅がゼロレベルに調整された波形である。このような波形がビタビ復号器９に入力された場合、ビタビ復号器９のレベル３が７回連続することになる。まず、レベル３が入力される２サンプリング前のＡ点ではレベル０である状態Ｓ０００にある。Ｂ点ではビット１となる等化信号が入力されたため、図６に示すようにＰＲ判定レベルはレベル１であり、状態Ｓ００１へ遷移する。次に、Ｃ点ではＳ００１からはＳ０１１にしか状態遷移しないため、ＰＲ判定レベルはレベル３となり、状態Ｓ０１１となる。次に、Ｄ点では図６の状態遷移図からＳ１１０またはＳ１１１への遷移となるが、ＰＲ等化信号のレベルとリファレンスレベルとの二乗誤差の大小からＳ１１０へと遷移し、レベル４として判定される。次に、Ｅ点ではＳ１１０からはＳ１００へ遷移するのでレベル３であり、Ｓ１００となる。Ｆ点ではＳ００１またはＳ０００への遷移となるが、ＰＲ等化信号のレベルとリファレンスレベルとの二重誤差の大小からＳ００１へ遷移し、レベル２として判定される。Ｇ、Ｈ、Ｉ点でも同様に状態遷移を行い、ＰＲレベル判定が３→４→３と判定され、Ｊ点でレベル１となる。結果として図５の再生信号はレベル０→１→３→４→３→２→３→４→３→１となり、図２（ｈ）に示すように、２Ｔが連続して記録された箇所を正しく判定することができる。
【００４４】
次に、本発明の信号処理装置１０と比較するため、従来の信号処理装置２０の動作を説明する。上述したとおり、図２（ａ）のように２Ｔが３回連続した連続２Ｔ信号を再生した場合の理想的な再生信号の波形は図２（ｂ）のようになる。しかし、実際の再生波形では、光学的空間周波数特性や符号間干渉の影響により連続２Ｔ信号の波形は図２（ｃ）のように真ん中の２Ｔ波形が潰れてしまい、振幅のへこみがなくなってしまう。
【００４５】
次に、図２（ｃ）の再生信号はプリイコライザ６、リミットイコライザ７、適応イコライザ８によりさらに増幅されるため、振幅は持ち上がり図２（ｄ）のようになる。図４は、図２（ｄ）を詳細に示した再生波形図である。図４の場合、２Ｔが３回連続している箇所のＰＲレベルは順にレベル３→５→６→６→６→５→３となっている。
【００４６】
次に、図４に示すような波形がビタビ復号器９に入力された場合について説明する。まず、Ａ点ではレベル０である状態Ｓ０００にある。Ｂ点ではビット１となる等化信号が入力されたため、図６に示すようにＰＲ判定レベルは１であり、状態Ｓ００１へ遷移する。次に、Ｃ点ではＳ００１からはＳ０１１にしか状態遷移しないため、ＰＲ判定レベルはレベル３となり、状態Ｓ０１１となる。次に、Ｄ点では図６の状態遷移図からＳ１１０またはＳ１１１への遷移となるが、ＰＲ等化信号のレベルとリファレンスレベルとの二乗誤差の大小からＳ１１１へと遷移し、レベル５として判定される。次に、Ｅ点では図６の状態遷移図からＳ１１０またはＳ１１１への遷移となるが、ＰＲ等化信号のレベルとリファレンスレベルとの二乗誤差の大小からＳ１１１へと遷移し、レベル６として判定される。次に、Ｆ点、Ｇ点では図６の状態遷移図からＳ１１０またはＳ１１１への遷移となるが、ＰＲ等化信号のレベルとリファレンスレベルとの二乗誤差の大小からＳ１１１へと遷移し、レベル６として判定される。次に、Ｈ点では図６の状態遷移図からＳ１１０またはＳ１１１への遷移となるが、ＰＲ等化信号のレベルとリファレンスレベルとの二乗誤差の大小からＳ１１０へと遷移し、レベル５として判定される。次に、Ｉ点ではＳ１１０からはＳ１００へ遷移するのでレベル３であり、Ｓ１００となり、Ｊ点でレベル１となる。結果として図４の再生信号はレベル０→１→３→５→６→６→６→５→３→１となり、２Ｔが連続して記録された箇所を正しく判定することができない。
【００４７】
以上より、記録媒体から再生された再生信号から連続した最短記録情報を検出し、検出した連続最短記録情報の振幅をゼロレベルに振幅調整してＰＲＭＬを行うことで、光学的空間周波数特性や符号間干渉の影響を受けた再生信号を正しく二値化することが可能となる。
【００４８】
また、本実施の形態の信号処理装置１０は従来のビタビ復号器９の性質を利用することで再生信号を正しく二値化することができるため、従来のＰＲＭＬの構成を変えることなく、容易に実現することが可能となる。
【符号の説明】
【００４９】
１  光ディスク、２  Ａ／Ｄコンバータ、３  ＡＧＣ、４  連続最短記録情報検出手段、５  振幅調整手段、６  プリイコライザ、７  リミットイコライザ、８  適応イコライザ、９  ビタビ復号器、１０，２０  信号処理装置。
【図１】
2011210366.tif 000005
【図２】
2011210366.tif 000006
【図３】
2011210366.tif 000007
【図４】
2011210366.tif 000008
【図５】
2011210366.tif 000009
【図６】
2011210366.tif 000010